【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
自蔵型の手持ち式胴部用マッサージ器具において、
施療者が指を挿入するための複数指用リング又は穴（２）を含む握り（４）である下部が含まれ、該指用リングが互いに連続し結合され、かつ一方の手の指を受容する寸法を有しており、またマッサージ器具の下部又は握り（４）が凸状であり、
更に、前記指用リングすべての上面につながる上部アーチ形ドーム部（１）が含まれ、該アーチ形ドーム部が、効果的な一般的エフリュラージュ及びリンパ排液に適した寸法を有し、かつまた被施療者の四肢にエフリュラージュを施すのに適している、自蔵型の手持ち式体部用マッサージ器具。
【請求項２】
前記上部がアーチ形ドーム部（１）の各側端部（３）のところがなだらかにテーパ付けされており、これらのなだらかにテーパ付けされた側端部（３）が、集中的なペトリサージ及び摩擦マッサージ運動に適している、請求項１に記載のマッサージ器具。
【請求項３】
前記上部が中空であり、空気又は他の不活性ガスを充填されている、請求項１又は請求項２に記載のマッサージ器具。
【請求項４】
前記上部が、中空であり、不活性液体を充填されるか、又は電池作動式の加熱装置もしくは赤外線加熱装置を内蔵している、請求項１から請求項３までのいずれか１項に記載のマッサージ器具。
【請求項５】
前記握りが、中空であり、不活性液体を充填されるか、又は電池作動式の加熱装置もしくは赤外線加熱装置を内蔵している、請求項１から請求項４までのいずれか１項に記載のマッサージ器具。
【請求項６】
前記握りが凹部（５）である、請求項１から請求項５までのいずれか１項に記載の体部用マッサージ器具。
【請求項７】
軽擦、波動、押圧の欠く運動を含むインド式頭部マッサージの実施に使用する自蔵型の手持ち式マッサージ器具において、
中実のアーチ形ドームを有する上部（２２）と、連続的に配置され互いに結合された複数指用リング又は穴（２１）とを含み、該指用リングが施療者の手の指を楽に受容する寸法を有しており、前記マッサージ器具が、更に上部下側に外側指用凹部（２４）を含み、前記器具上部が、更に集中的ペトリサージに使用するための、なだらかにテーパ付けされた外縁部（２３）を含み、加えて前記マッサージ器具が、被施療者の頭皮に対する軽擦、波動、押圧の各運動を加えるさいに、自由に流動的に、髪に絡まることなく運動可能な寸法及び次元の複数の歯を含む、自蔵型の手持ち式マッサージ器具。
【請求項８】
前記手持ち式マッサージ器具を逆さにして、施療者が、歯の基部（２７）を握りとして使用することで、器具上部（２２）をマッサージ運動に用いる、請求項７に記載の手持ち式マッサージ器具。
【請求項９】
前記歯が、更に、丸くされた先端（２６）を含み、これにより前記器具が、被施療者の髪に絡まることなく、頭皮上を端から端まで容易に移動できる、請求項７又は請求項８に記載の手持ち式マッサージ器具。
【請求項１０】
前記上部が中空であり、空気又は他の不活性ガスを充填されている、請求項７から請求項９までのいずれか１項に記載の手持ち式マッサージ器具。
【請求項１１】
前記上部が、中空であり、不活性液体を充填されるか、又は電池作動式加熱装置もしくは赤外線加熱装置を内蔵している、請求項７から請求項１０までのいずれか１項に記載の手持ち式マッサージ器具。
【請求項１２】
足マッサージを施すのに使用する手持ち式マッサージ器具セットにおいて、相互作用するハンマ器具とへら器具とを含み、前記ハンマ器具には、テーパ付けされ、なだらかな丸みを帯びた外縁部１７を有する楕円形状のハンマ頭部（１５）が含まれ、中間部（１８）が、前記楕円形状の上部ハンマ頭部を球状の基部（１９）に結合し、かつ手／指の握りとして機能しており、前記へら器具には、円形頭部（９）として構成された上部が含まれ、該円形頭部が、隆起縁部（１０）で完全に囲まれた平らなディスク又は丸い中央部１１を含み、更に前記へら器具が、手／指の握り区域として使用する中間部（１３）と涙滴状基部（１２，１４）とを含む、足マッサージを施すのに使用する手持ち式マッサージ器具セット。
【請求項１３】
前記楕円形の上部ハンマ頭部の前記テーパ付き側縁部（１７）により、へら器具（１１）の前記円形中央部を打撃することにより、へら器具の円形頭部が当てがわれた足の圧覚点に振動を発生させる、請求項１２に記載の手持ち式マッサージ器具セット。
【請求項１４】
前記へら器具の涙滴状基部がレフレクソロジーの圧覚点押圧運動に使用される、請求項１２又は請求項１３に記載の手持ち式マッサージ器具セット。
【請求項１５】
前記上部ハンマ頭部の頂部（１５）が足へのエフリュラージュ・マッサージ運動に使用される、請求項１２から請求項１４までのいずれか１項に記載の手持ち式マッサージ器具セット。
【請求項１６】
前記ハンマ器具の前記球状基部（１９）が、へら器具をハンマ器具で叩くさいに、ハンマ頭部の釣合い重りとして機能し、かつまた前記球状基部が、被施療者の足にペトリサージを施すための器具として機能する、請求項１２から請求項１５までのいずれか１項に記載の手持ち式マッサージ器具セット。
【請求項１７】
前記ハンマ器具上部が、不活性液体を充填されるか、又は電池作動式加熱装置もしくは赤外線加熱装置を内蔵している、請求項１２から請求項１６までのいずれか１項に記載の手持ち式マッサージ器具セット。
【請求項１８】
へら器具の円形頭部又はへら器具の涙滴状下端が、中空であり、不活性液体を充填されるか、又は電池作動式加熱装置もしくは赤外線加熱装置を内蔵している、請求項１２から請求項１６までのいずれか１項に記載の手持ち式マッサージ器具セット。
【請求項１９】
前記楕円形の上部ハンマ頭部（１５）が、被施療者の足に対する振動運動を最大化するように、電池作動式振動機構を含んでいる、請求項１２から請求項１６までのいずれか１項に記載の手持ち式マッサージ器具セット。
【請求項２０】
前記球根状端部／涙滴状下端（１２）が、被施療者の足に対し最大の振動運動を与えるように電池作動式振動機構を含む、請求項１２から請求項１６までのいずれか１項に記載の手持チ式マッサージ器具セット。
【請求項２１】
被施療者の顔面及び頚部のマッサージに使用する自蔵型の手持ち式マッサージ器具において、
前記顔面マッサージ器具が、なだらかな丸みを帯びた矢じり状部（６ｂ）を含む上部（６ａ）と、テーパ付けされ丸くされた外縁部（８ｂ）を備えたＵベンド状凹部（８ａ）を含む中間部と、丸くされた三日月状下部（７）とを含む、被施療者の顔面及び頚部のマッサージに使用する自蔵型の手持ち式マッサージ器具。
【請求項２２】
前記なだらかな丸みを帯びた矢じり状部が、顔面、顎、頚部の局限された、顔の圧覚点を含む部位に集中的なペトリサージを施し得る幅を有し、かつまた前記なだらかな丸みを帯びた頂面（６ａ）が顔の比較的小さい骨ばった部位に穏やかなエフリュラージュを施し得る幅を有している、請求項２１に記載の手持ち式顔面マッサージ器具。
【請求項２３】
前記Ｕベンド状凹部が、更に、丸みをつけられたテーパ付き外縁部８ｂを含み、前記Ｕベンドの空所８ａが、前記器具を使用して被施療者の顎の線の自然の曲線に従って被施療者に顔面マッサージを施すことで、前記顎の線の顔面筋肉の緊張を緩和し調整するように構成されている、請求項２１又は請求項２２に記載の手持ち式顔面マッサージ器具。
【請求項２４】
前記三日月状下部が、一般的なエフリュラージュ及びペトリサージを被施療者の顔面や頚部の部位及び肩の上部に施すのに十分な幅と曲率を有している、請求項２１から請求項２３までのいずれか１項に記載の手持ち式顔面マッサージ器具。
【請求項２５】
前記器具の上部が、中空であり、不活性液体を充填されるか、又は電池作動式加熱装置もしくは赤外線加熱装置を内蔵している、請求項２１から請求項２４までのいずれか１項に記載の手持ち式顔面マッサージ器具。
【請求項２６】
前記マッサージ器具が、１セットから成り、身体全域にわたるマッサージに使用される、請求項１から請求項２５までのいずれか１項に記載のマッサージ器具。